(57)【特許請求の範囲】
【請求項１】
８０２．１１非同期搬送波感知多重アクセス（ＣＳＭＡ）ネットワークにおいてランダムな時間に第１の移動装置から第２の移動装置に、前記第１の移動装置と前記第２の移動装置の間のチャネルゲインに基づく第１の送信データ電力レベルを有する第１の送信要求（ＲＴＳ）信号を送信することと、ここで、前記チャネルゲインは、前記第２の移動装置から前記第１の移動装置に送信された以前の信号から決定される、
前記第１の移動装置で、前記第２の移動装置からの第１の送信可（ＣＴＳ）信号を受信することと、
前記第１の送信データ電力レベルで、前記第１の移動装置から前記第２の移動装置にデータを送信することと、
第３の移動装置で、前記第１の移動装置からの第２の受信ＲＴＳ電力レベルを有する前記第１のＲＴＳ信号を受信することと、
前記第３の移動装置で、第４の移動装置からの第３の受信ＲＴＳ電力レベルを有する第２のＲＴＳ信号を受信することと、
前記第３の移動装置で、前記第３の受信ＲＴＳ電力レベルおよび前記第２の受信ＲＴＳ電力レベルの予め決められた関数に基づいて、前記第４の移動装置に第２のＣＴＳ信号を送信すべきかどうかを決定することと
を備え、前記予め決められた関数が、前記第２の受信ＲＴＳ電力レベルと前記第３の受信ＲＴＳ電力レベルの比を予め決められたしきい値と比較する無認可スペクトル内でシステムスループットを増加させる方法。
【請求項２】
前記第１の送信データ電力レベルは、前記第１の移動装置と前記第２の移動装置の間の前記チャネルゲインに反比例する、もしくは前記チャネルゲインに対して単調に減少していく請求項１に記載の方法。
【請求項３】
前記第２の移動装置が、第１の受信ＲＴＳ電力レベルを有する前記第１のＲＴＳ信号を受信する、ならびに、
前記第２の移動装置が、前記第１の受信ＲＴＳ電力レベルの関数である第１の送信ＣＴＳ電力レベルを有する前記第１のＣＴＳ信号を送信する、
請求項１に記載の方法。
【請求項４】
前記関数が、前記第１の受信ＲＴＳ電力レベルに反比例し、および前記第１の受信ＲＴＳ電力レベルに対して単調に減少するものから成り立つグループから選択される請求項３に記載の方法。
【請求項５】
前記第４の移動装置で、前記第２の移動装置からの第２の受信ＣＴＳ電力レベルを有する前記第１のＣＴＳ信号を受信することと、
前記第４の移動装置で、前記第３の移動装置からの前記第２のＣＴＳ信号を受信することと、
前記第４の移動装置で、前記第２の受信ＣＴＳ電力レベルの予め決められた関数に基づいてデータ信号を送信すべきかどうかを決定することと
をさらに備える請求項１に記載の方法。
【請求項６】
前記予め決められた関数が、前記第２の受信ＣＴＳ電力レベルと第２の送信データ電力レベルの積を予め決められたしきい値と比較する請求項５に記載の方法。
【請求項７】
前記第２の送信データ電力レベルは、前記第３の移動装置に第２のＲＴＳ信号を、もしくは前記第３の移動装置にデータ信号を送信するために前記第４の移動装置によって使用される請求項６に記載の方法。
【請求項８】
前記第２の送信データ電力レベルが、前記第３の移動装置と前記第４の移動装置の間のチャネルゲインに反比例する、もしくは前記チャネルゲインに対して単調に減少していく請求項７に記載の方法。
【請求項９】
前記チャネルゲインが、前記第３の移動装置から前記第４の移動装置に送信された以前の信号から決定される請求項８に記載の方法。
【請求項１０】
８０２．１１非同期搬送波感知多重アクセス（ＣＳＭＡ）ネットワークにおいてランダムな時間に第１の移動装置から第２の移動装置に、前記第１の移動装置と前記第２の移動装置の間のチャネルゲインに基づく第１の送信データ電力レベルを有する第１の送信要求（ＲＴＳ）信号を送信するように、ここで、前記チャネルゲインが、前記第２の移動装置から前記第１の移動装置に送信された以前の信号から決定される、
前記第１の移動装置で、前記第２の移動装置からの第１の送信可（ＣＴＳ）信号を受信するように、
前記第１の送信データ電力レベルで、前記第１の移動装置から前記第２の移動装置にデータを送信するように
構成されたプロセッサと、
第３の移動装置で、前記第１の移動装置からの第２の受信ＲＴＳ電力レベルを有する前記第１のＲＴＳ信号を受信するように、
前記第３の移動装置で、第４の移動装置から第３の受信ＲＴＳ電力レベルを有する第２のＲＴＳ信号を受信するように、
前記第３の移動装置で、前記第３の受信ＲＴＳ電力レベルおよび前記第２の受信ＲＴＳ電力レベルの予め決められた関数に基づいて、前記第４の移動装置に第２のＣＴＳ信号を送信すべきかどうかを決定するように
構成される第２のプロセッサと
を備え、前記予め決められた関数が、前記第２の受信ＲＴＳ電力レベルと前記第３の受信ＲＴＳ電力レベルの比を予め決められたしきい値と比較する無認可スペクトル内でシステムスループットを増加させるためのシステム。
【請求項１１】
前記第１の送信データ電力レベルが、前記第１の移動装置と前記第２の移動装置の間の前記チャネルゲインに反比例する、もしくは前記チャネルゲインに対して単調に減少していく請求項１０に記載のシステム。
【請求項１２】
前記第２の移動装置が、第１の受信ＲＴＳ電力レベルを有する前記第１のＲＴＳ信号を受信する、ならびに、
前記第２の移動装置が、前記第１の受信ＲＴＳ電力レベルの関数である第１の送信ＣＴＳ電力レベルを有する前記第１のＣＴＳ信号を送信する
請求項１０に記載のシステム。
【請求項１３】
前記関数が、前記第１の受信ＲＴＳ電力レベルに反比例し、および前記第１の受信ＲＴＳ電力レベルに対して単調に減少するものから成り立つグループから選択される請求項１２に記載のシステム。
【請求項１４】
前記第４の移動装置で、前記第２の移動装置からの第２の受信ＣＴＳ電力レベルを有する前記第１のＣＴＳ信号を受信するように、
前記第４の移動装置で前記第３の移動装置から前記第２のＣＴＳ信号を受信するように、
前記第４の移動装置で、前記第２の受信ＣＴＳ電力レベルの予め決められた関数に基づいて、データ信号を送信すべきかどうかを決定するように
構成される第３のプロセッサをさらに備える請求項１０に記載のシステム。
【請求項１５】
前記予め決められた関数が、前記第２の受信ＣＴＳ電力レベルと第２の送信データ電力レベルの積を予め決められたしきい値と比較する請求項１４に記載のシステム。
【請求項１６】
前記第２の送信データ電力レベルが、前記第３の移動装置に第２のＲＴＳ信号を、もしくは前記第３の移動装置にデータ信号を送信するために前記第４の移動装置によって使用される請求項１５に記載のシステム。
【請求項１７】
前記第２の送信データ電力レベルが、前記第３の移動装置と前記第４の移動装置の間のチャネルゲインに反比例する、もしくは前記チャネルゲインに対して単調に減少していく請求項１６に記載のシステム。
【請求項１８】
前記チャネルゲインが、前記第３の移動装置から前記第４の移動装置に送信された以前の信号から決定される請求項１７に記載のシステム。
【請求項１９】
８０２．１１非同期搬送波感知多重アクセス（ＣＳＭＡ）ネットワークにおいてランダムな時間に第１の移動装置から第２の移動装置に、前記第１の移動装置と前記第２の移動装置の間のチャネルゲインに基づく第１の送信データ電力レベルを有する第１の送信要求（ＲＴＳ）信号を送信するために手段と、ここで、前記チャネルゲインが、前記第２の移動装置から前記第１の移動装置に送信された以前の信号から決定される、
前記第１の移動装置で、前記第２の移動装置からの第１の送信可（ＣＴＳ）信号を受信するための手段と、
前記第１の送信データ電力レベルで前記第１の移動装置から前記第２の移動装置にデータを送信するための手段と、
第３の移動装置で、前記第１の移動装置からの第２の受信ＲＴＳ電力レベルを有する前記第１のＲＴＳ信号を受信するための手段と、
前記第３の移動装置で、第４の移動装置からの第３の受信ＲＴＳ電力レベルを有する第２のＲＴＳ信号を受信するための手段と、
前記第３の移動装置で、前記第３の受信ＲＴＳ電力レベルおよび前記第２の受信ＲＴＳ電力レベルの予め決められた関数に基づいて、前記第４の移動装置に第２のＣＴＳ信号を送信すべきかどうかを決定するための手段と
を備え、前記予め決められた関数が、前記第２の受信ＲＴＳ電力レベルと前記第３の受信ＲＴＳ電力レベルの比を予め決められたしきい値と比較する無認可スペクトル内でシステムスループットを増加させるためのシステム。
【請求項２０】
前記第１の送信データ電力レベルが、前記第１の移動装置と前記第２の移動装置の間の前記チャネルゲインに反比例する、もしくは前記チャネルゲインに対して単調に減少していく請求項１９に記載のシステム。
【請求項２１】
前記第２の移動装置が第１の受信ＲＴＳ電力レベルを有する前記第１のＲＴＳ信号を受信する、ならびに、
前記第２の移動装置が、前記第１の受信ＲＴＳ電力レベルの関数である第１の送信ＣＴＳ電力レベルを有する前記第１のＣＴＳ信号を送信する
請求項１９に記載のシステム。
【請求項２２】
前記関数が、前記第１の受信ＲＴＳ電力レベルに反比例し、および前記第１の受信ＲＴＳ電力レベルに対して単調に減少するものから成り立つグループから選択される請求項２１に記載のシステム。
【請求項２３】
前記第４の移動装置で、前記第２の移動装置からの第２の受信ＣＴＳ電力レベルを有する前記第１のＣＴＳ信号を受信するための手段と、
前記第４の移動装置で、前記第３の移動装置からの前記第２のＣＴＳ信号を受信するための手段と、
前記第４の移動装置で、前記第２の受信ＣＴＳ電力レベルの予め決められた関数に基づいて、データ信号を送信すべきかどうかを決定するための手段と
をさらに備える請求項１９に記載のシステム。
【請求項２４】
前記予め決められた関数が、前記第２の受信ＣＴＳ電力レベルと第２の送信データ電力レベルの積を予め決められたしきい値と比較する請求項２３に記載のシステム。
【請求項２５】
前記第２の送信データ電力レベルが、前記第３の移動装置に第２のＲＴＳ信号を、もしくは前記第３の移動装置にデータ信号を送信するために前記第４の移動装置によって使用される請求項２４に記載のシステム。
【請求項２６】
前記第２の送信データ電力レベルが、前記第３の移動装置と前記第４の移動装置の間のチャネルゲインに反比例する、もしくは前記チャネルゲインに対して単調に減少していく請求項２５に記載のシステム。
【請求項２７】
前記チャネルゲインが、前記第３の移動装置から前記第４の移動装置に送信された以前の信号から決定される請求項２６に記載のシステム。
【請求項２８】
無認可スペクトル内でシステムスループットを増加させる方法を実行するための機械実行可能命令を具現化する少なくとも１つの機械読み取り可能媒体であって、前記方法が、
８０２．１１非同期搬送波感知多重アクセス（ＣＳＭＡ）ネットワークにおいてランダムな時間に第１の移動装置から第２の移動装置に、前記第１の移動装置と前記第２の移動装置のチャネルゲインに基づく第１の送信データ電力レベルを有する第１の送信要求（ＲＴＳ）信号を送信することと、ここで、前記チャネルゲインが、前記第２の移動装置から前記第１の移動装置に送信された以前の信号から決定される、
前記第１の移動装置で、前記第２の移動装置からの第１の送信可（ＣＴＳ）信号を受信することと、
前記第１の送信データ電力レベルで、前記第１の移動装置から前記第２の移動装置にデータを送信することと、
第３の移動装置で、前記第１の移動装置からの第２の受信ＲＴＳ電力レベルを有する前記第１のＲＴＳ信号を受信することと、
前記第３の移動装置で、第４の移動装置からの第３の受信ＲＴＳ電力レベルを有する第２のＲＴＳ信号を受信することと、
前記第３の移動装置で、前記第３の受信ＲＴＳ電力レベル及び前記第２の受信ＲＴＳ電力レベルの予め決められた関数に基づいて、前記第４の移動装置に第２のＣＴＳ信号を送信すべきかどうかを決定することと
を備え、前記予め決められた関数が、前記第２の受信ＲＴＳ電力レベルと前記第３の受信ＲＴＳ電力レベルの比を予め決められたしきい値と比較する少なくとも１つの機械読み取り可能記憶媒体。
【請求項２９】
前記第１の送信データ電力レベルが、前記第１の移動装置と前記第２の移動装置の間の前記チャネルゲインに反比例する、もしくは前記チャネルゲインに対して単調に減少していく請求項２８に記載の少なくとも１つの機械読み取り可能記憶媒体。
【請求項３０】
前記第２の移動装置が第１の受信ＲＴＳ電力レベルを有する前記第１のＲＴＳ信号を受信する、ならびに、
前記第２の移動装置が、前記第１の受信ＲＴＳ電力レベルの関数である第１の送信ＣＴＳ電力レベルを有する前記第１のＣＴＳ信号を送信する
請求項２８に記載の少なくとも１つの機械読み取り可能記憶媒体。
【請求項３１】
前記関数が、前記第１の受信ＲＴＳ電力レベルに反比例し、および前記第１の受信ＲＴＳ電力レベルに対して単調に減少するものから成り立つグループから選択される請求項３０に記載の少なくとも１つの機械読み取り可能記憶媒体。
【請求項３２】
前記第４の移動装置で、前記第２の移動装置からの第２受信ＣＴＳ電力レベルを有する前記第１のＣＴＳ信号を受信することと、
前記第４の移動装置で、前記第３の移動装置からの前記第２のＣＴＳ信号を受信することと、
前記第４の移動装置で、前記第２の受信ＣＴＳ電力レベルの予め決められた関数に基づいて、データ信号を送信すべきかどうかを決定することと
のための命令をさらに備える請求項２８に記載の少なくとも１つの機械読み取り可能記憶媒体。
【請求項３３】
前記予め決められた関数が、前記第２の受信ＣＴＳ電力レベルと第２の送信データ電力レベルの積を予め決められたしきい値と比較する請求項３２に記載の少なくとも１つの機械読み取り可能記憶媒体。
【請求項３４】
前記第２の送信データ電力レベルが、前記第３の移動装置に第２のＲＴＳ信号を、もしくは前記第３の移動装置にデータ信号を送信するために前記第４の移動装置によって使用される請求項３３に記載の少なくとも１つの機械読み取り可能記憶媒体。
【請求項３５】
前記第２の送信データ電力レベルが、前記第３の移動装置と前記第４の移動装置の間のチャネルゲインに反比例する、もしくは前記チャネルゲインに対して単調に減少していく請求項３４に記載の少なくとも１つの機械読み取り可能記憶媒体。
【請求項３６】
前記チャネルゲインが、前記第３の移動装置から前記第４の移動装置に送信された以前の信号から決定される請求項３５に記載の少なくとも１つの機械読み取り可能記憶媒体。
【発明の詳細な説明】
【技術分野】
【０００１】
本発明はワイアレス通信に関する。より具体的に、本発明はワイアレス通信において信号の送信電力をスケーリングするための装置および方法に関する。
【背景技術】
【０００２】
ワイアレス通信は需要において伸び続けており、ならびに個人的およびビジネス上の通信両方の不可欠な部分となってきた。ワイアレス通信は、ユーザがラップトップ、セルラー装置、ｉＰｈｏｎｅｓ(登録商標)、ＢｌａｃｋＢｅｒｒｙｓ（登録商標）などのようなワイアレス装置およびワイアレスネットワークを使用してほとんどいかなる場所からでもデータを送信および受信することを可能にする。
【０００３】
ワイアレスフィデリティ（ＷｉＦｉ）は、米国電気電子技術者協会（ＩＥＥＥ）によってワイアレスローカルエリアネットワーク（ＬＡＮ）用に開発された仕様に従うワイアレスネットワークを表す。ＷｉＦｉ装置はＩＥＥＥの８０２．１１標準を使用する他の認証されたＷｉＦｉ装置と相互に情報交換可能であると認証される。これらのＷｉＦｉ装置はデータ転送を容易にするためのワイアレスネットワークを構築するために無線インタフェースを許容する。
【０００４】
ＷｉＦｉは、ピアツーピア送信の分散されたスケジューリングを実行するために送信要求（ＲＴＳ）／送信可（ｃｌｅａｒ  ｔｏ  ｓｅｎｄ）（ＣＴＳ）のシグナリングもしくは搬送波感知多重アクセス／衝突回避方式（ＣＳＭＡ／ＣＡ）を使用する。例えば、通信チャネルが利用可能か利用不可能かを決定するために、ノードは信号を送信する前にそのノードはＣＳＭＡを通じて通信チャネルを聴取する。通信チャネルが利用可能である場合、送信ノードは受信ノードにＲＴＳ信号を送信する。同様に、通信チャネルが利用可能であることを受信ノードが検出した場合、その受信ノードはＣＴＳ信号を送信する。通信チャネルが利用不可能である場合、ノードは通信チャネルが利用可能になるまで送信するのを待機する。従って送信遅延は、ネットワークを使用するノードの増加した数と共に増加する。
【０００５】
加えて、ＷｉＦｉの非同期の性質はさらにノードの電力効率およびレイテンシに影響を与える。つまり、ＷｉＦｉを使用する送信および受信は同期されておらず、しかしむしろ非同期方式で実行される。例えば、ＷｉＦｉ送信機はランダムな時間にＷｉＦｉ受信機と通信を試みることができ、ならびにＷｉＦｉ受信機がそのランダムな時間に通信する準備が整っていない、もしくはそのＷｉＦｉ受信機と通信を試みる他のＷｉＦｉ送信機に囲まれている場合、ＷｉＦｉ受信機は正確にデータを受信することができず、その場合ＷｉＦｉ送信機はバックオフすることおよび後の時間（例えば、１０ミリセコンド後）に送信することを決定し得る。この例はＷｉＦｉ通信内に元来備わっているレイテンシを示している。さらには、電力非効率もＷｉＦｉ送信機およびＷｉＦｉ受信機に関して増加する。
【０００６】
従って、ワイアレス通信において信号の送信電力をスケーリングするための方法および装置への必要性が存在することが当業者によって認識されてきた。
【発明の概要】
【０００７】
無認可スペクトル内でスペクトルの再利用およびシステムスループットを増加させるために信号の送信電力を変更する方法および装置が開示される。ある方法は、第１の移動装置から第２の移動装置に第１の移動装置と第２の移動装置の間のチャネルゲインに基づく第１の送信データ電力レベルを有する送信要求（ＲＴＳ）信号を送信すること、第１の移動装置で第２の移動装置からの送信可（ＣＴＳ）信号を受信すること、および第１の送信データ電力レベルで第１の移動装置から第２の移動装置にデータを送信することを含む。
【０００８】
無認可スペクトル内でシステムスループットを増加させるための装置が開示される。その装置は、第１の移動装置から第２の移動装置に第１の移動装置と第２の移動装置の間のチャネルゲインに基づく第１の送信データ電力レベルを有する第１の送信要求（ＲＴＳ）信号を送信するように、第１の移動装置で第２の移動装置からの第１の送信可（ＣＴＳ）信号を受信するように、ならびに第１の移動装置から第２の移動装置に第１の送信データ電力レベルでデータを送信するように構成されるプロセッサを含む。
【図面の簡単な説明】
【０００９】
本発明の特徴、対象、および利点は図面と関連して捉えられた時以下で記述される詳細な説明からより明白になるであろう。
【図１】様々な実施例に従って、それぞれのノードが送信に先立ちその信号の送信電力を調整し得る、複数のノードを有するネットワークの簡略化されたブロック図。
【図２】様々な実施例に従って、様々なノードの間のチャネルのチャネルゲインもしくは着信信号の受信電力レベルを決定するように、ならびに関数もしくは変数（例えば、受信電力レベルもしくはチャネルゲイン）に基づいて発信信号の送信電力レベルを調整するように構成された典型的なノードのブロック図。
【図３】様々な実施例に従って、無認可スペクトル内で動作するノードを有するネットワークのシステムスループットを増加させる方法を例示するフロー図。
【図４】様々な実施例に従って、無認可スペクトル内で動作するノードを有するネットワークのシステムスループットを増加させる方法を例示するフロー図。
【図５】様々な実施例に従って、無認可スペクトル内で動作するノードを有するネットワークのシステムスループットを増加させる方法を例示するフロー図。
【図６】様々な実施例に従って、無認可スペクトル内で動作するノードを有するネットワークのシステムスループットを増加させる方法を例示するフロー図。
【図７】様々な実施例に従って、無認可スペクトル内でスペクトルの再利用およびシステムスループットを増加させるための装置用の手段および装置のための典型的なコンポーネントを例示するブロック図。
【図８】様々な実施例に従って、無認可スペクトル内でスペクトルの再利用およびシステムスループットを増加させるための装置用の手段および装置のための典型的なコンポーネントを例示するブロック図。
【図９】様々な実施例に従って、無認可スペクトル内でスペクトルの再利用およびシステムスループットを増加させるための装置用の手段および装置のための典型的なコンポーネントを例示するブロック図。
【図１０】様々な実施例に従って、無認可スペクトル内でスペクトルの再利用およびシステムスループットを増加させるための装置用の手段および装置のための典型的なコンポーネントを例示するブロック図。
【詳細な説明】
【００１０】
本発明の様々な特徴の実施例を実行する方法、装置およびシステムはこれから図面を参照して説明されることになる。図面とその関係する説明は本発明の範囲を限定するためではなく、本発明の実施例を例示するために提供される。本明細書内での「ある実施例」もしくは「1つの実施例」への参照は、その実施例と関連して説明される特定の特徴、構造もしくは特性が少なくとも本発明の１つの実施例の中に含まれることを示すことが意図されている。本明細書内の様々な箇所にある「１つの実施例」もしくは「ある実施例内の」というフレーズが現れることは必ずしも全て同じ実施例を参照しているのではない。図面全体を通して参照番号は、参照された要素間の一致を示すために再使用される。加えてそれぞれの参照番号の最初の数字は、その要素が最初に登場する図面を示す。
【００１１】
図１は複数のノード１０１、１０２、１０３および１０４を有するネットワーク１００の簡略化されたブロック図であり、ここにおいてそれぞれのノードは、様々な実施例に従って、送信に先立ちその信号の送信電力を調整することができる。ネットワーク１００は無認可スペクトル内での増加したスループットおよびスペクトルの再使用を可能にするように構成される。様々な実施例でネットワーク１００は、ＷｉＦｉネットワーク、無認可ネットワーク（すなわち、無認可スペクトル内で動作するネットワーク）、認可ネットワーク（すなわち、認可スペクトル内で動作するネットワーク）、および／もしくは搬送波感知多重アクセス／衝突回避方式（ＣＳＭＡ／ＣＡ）ネットワークのような1つかそれ以上のネットワークを含むことができ、複数のノード１０１、１０２、１０３および１０４のそれぞれはＷｉＦｉ装置もしくはノード、認可スペクトルおよび／もしくは無認可スペクトル内で動作するように構成されたワイアレス通信装置もしくは移動装置、ユーザ、あるいは認可スペクトルおよび／もしくは無認可スペクトル内で動作するように構成されたホワイトスペース装置（ＷＳＤ）であり得る。ＷＳＤはオープンのあるいは未使用の周波数内で動作する移動装置、ラップトップコンピュータ、もしくは他の携帯用装置であり得る。例示的な目的のため、本開示は無認可スペクトル内で動作するＷｉＦｉネットワークおよびノードについて論述することになる。しかしながら、認可および無認可のネットワークおよびノードの他の種類も本発明の範囲内である。さらには、４つのノード１０１、１０２、１０３および１０４が図１において示されているけれども、ネットワーク１００は1つかそれ以上のノードを含み得る。例示的な目的のため、ノード１０１、１０２、１０３および１０４はそれぞれ、ノードＡ、ノードＢ、ノードＣおよびノードＤとして表されることもある。
【００１２】
図２は、様々な実施例に従って、様々なノード間のチャネルのチャネルゲインもしくは着信信号の受信電力レベルを決定するように、ならびに関数もしくは変数（例えば、受信電力レベルもしくはチャネルゲイン）に基づいて発信信号の送信電力レベルを調整するように構成された典型的なノードのブロック図である。例示的な目的のため、「ノード」という用語はワイアレス通信装置２００を表すことにする。ワイアレス通信装置２００は、認可スペクトルおよび／もしくは無認可スペクトルを使用してあるいはそれらのスペクトル内でデータおよび信号を送信ならびに受信するように構成される。ワイアレス通信装置２００はプロセッサ２０５、メモリ２１０、ディスプレイ２１５、キーボード２２０、ワイアレス送信機２２５、ワイアレス受信機２３０、第１のアンテナ２３５、第２のアンテナ２４０、電源２４５（例えば、バッテリ）を含む。チップ、コンポーネント、もしくはモジュールはプリント回路板２５０上に形成もしくは接続され得る。プリント回路板２５０は、誘電体基板、セラミック基板、もしくはワイアレス通信装置２００内の信号回路および電子コンポーネントを担持するための他の回路担持構造を示すことができる。
【００１３】
プロセッサ２０５は、ハードウェア、ソフトウェア、ファームウェア、ミドルウェア、マイクロコード、もしくはそれらの任意な組み合わせを使用して実装され得る。プロセッサ２０５は、高度ＲＩＳＣマシン（ＡＲＭ）、コントローラ、デジタル信号プロセッサ（ＤＳＰ）、マイクロプロセッサ、エンコーダ、デコーダ、回路網、プロセッサチップ、もしくはデータを処理することが可能な任意の他の装置、およびそれらの組合せであり得る。「回路網」という用語は、プロセッサ回路網、メモリ回路網、ＲＦトランシーバ回路網、電力回路網、ビデオ回路網、オーディオ回路網、キーボード回路網、およびディスプレイ回路網を含み得る。
【００１４】
メモリ２１０は、様々なルーチンおよびデータを含むもしくは記憶することができる。「メモリ」および「機械読み取り可能媒体」という用語は、限定はされないが、ランダムアクセスメモリ（ＲＡＭ）、フラッシュメモリ、読取り専用メモリ（ＲＯＭ）、ＥＰＲＯＭ、ＥＥＰＲＯＭ、レジスタ、ハードディスク、リムーバブルディスク、ＣＤ−ＲＯＭ、ＤＶＤ、ワイヤレスチャネル、および（１つもしくは複数の）命令および／またはデータを搬送し、含み、もしくは記憶することが可能な様々な他の媒体を含む。機械読み取り可能命令は、メモリ２１０に記憶され得、プロセッサ２０５に本開示で説明されるように様々な機能を実行させるためにプロセッサ２０５によって実行され得る。ディスプレイ２１５は、ＬＣＤ、ＬＥＤもしくはプラズマディスプレイスクリーンであり得、キーボード２２０は、文字および数字を有する標準キーボード（例えば、ＱＷＥＲＴＹレイアウト）であり得る。
【００１５】
ワイアレス送信機２２５はプロセッサ２０５に連結され、第１のアンテナ２３５および／もしくは第２のアンテナ２４０を通じた送信用のデータをエンコードおよびフォーマットするために使用される。ワイアレス送信機２２５は、プロセッサ２０５から受信され、チャネルを渡る送信のために第１のアンテナ２３５および／もしくは第２のアンテナ２４０に送信される前の信号および／もしくはデータの送信電力を調整（すなわち、電力スケーリング）するために使用されるソフトウェア、回路網、および／もしくはチップを含む。ワイアレス送信機２２５は信号および／もしくはデータの送信電力を調整もしくはスケーリングする方法を決定するために、第１のアンテナ２３５、第２のアンテナ２４０および／もしくはプロセッサ２０５を通じて他のチャネルもしくはノードから受信される情報（例えば、チャネルゲイン）を使用し得る。
【００１６】
ワイアレス受信機２３０はプロセッサ２０５に連結され、第１のアンテナ２３５および／もしくは第２のアンテナ２４０から受信された後のデータをデコードならびに構文解析(parse)するために使用される。ワイアレス受信機２３０は、第１のアンテナ２３５および／もしくは第２のアンテナ２４０を通じて他のチャネルもしくはノードから情報（例えば、チャネルゲイン、電力レベル、信号など）を受信するために使用されるソフトウェア、回路網、および／もしくはチップを含む。その情報は第１のアンテナ２３５および／もしくは第２のアンテナ２４０を通じて別のノードに送信されることになる信号および／もしくはデータの送信電力を調整する方法を決定するためのプロセッサ２０５による算定および使用ためにプロセッサ２０５に送信される。
【００１７】
第１のアンテナ２３５はワイアレス通信装置２００の右下部分に設置され得、第２のアンテナ２４０はワイアレス通信装置２００の右上部分に設置され得る。第１のアンテナ２３５はセルラーアンテナ、ＧＳＭ（登録商標）アンテナ、ＣＤＭＡアンテナ、ＷＣＤＭＡアンテナ、もしくは認可スペクトルを使用して動作することが可能な任意の他のアンテナであり得る。第２のアンテナ２４０はＷｉＦｉアンテナ、ＧＰＳアンテナ、もしくは無認可スペクトルを使用して動作することが可能な任意の他のアンテナであり得る。電源２４５は図２で示されているモジュールもしくはコンポーネントに電力を供給する。例示的な目的のため、図１で示されているノードＡ、Ｂ、Ｃ、およびＤのそれぞれは、図２で示されているようなワイアレス通信装置２００である。
【００１８】
図３および４は、様々な実施例に従って無認可スペクトル内で動作するノードを有するネットワーク１００のシステムスループットを増加させる方法３００および４００をそれぞれ例示するフロー図である。図１−４を参照して、方法３００はノードＡ（例えば、第１のワイアレス通信装置）の観点からであり、方法４００はノードＢ（例えば、第２のワイアレス通信装置）の観点からである。この実施例で我々は、ノードＡはノードＡとノードＢの間のチャネルゲイン（ｈＡＢ）の事前の知識を有すると仮定する。例えば、チャネルゲインは、ノードＢからノードＡに送信された以前の信号から決定され得る。ノードＡはそのメモリ２１０内にチャネルゲインを記録することができる。もしノードＡが、そのＲＴＳ信号１１１を送信するのに先立ってチャネルゲインについての情報を有する場合、ノードＡは、ノードＡとノードＢの間のチャネルゲインに基づいてそのＲＴＳ信号１１１の送信電力レベルを
【数１】
0005844265.tif 000002
【００１９】
に調整することができる。
【００２０】
ノードＡによる送信に先立って、ノードＡのワイアレス送信機２２５および／もしくはプロセッサ２０５はＲＴＳ信号１１１の送信データ電力レベルをノードＡとノードＢの間のチャネルゲイン（ｈＡＢ）に基づくように調整もしくは調節する（ブロック３０５）。チャネルゲイン（ｈＡＢ）はノードＡとノードＢの間の距離（ｄ）に反比例する。つまり、
【数２】
0005844265.tif 000003
【００２１】
であり、ここにおいてαは自由空間（ｆｒｅｅ  ｓｐａｃｅ）では約２．０であり、いくつかの反射が存在するエリアでは約３．５である。従って、距離が大きくなるほどチャネルゲインは小さくなる。ある実施例で、チャネルゲインの推定値はサービスセットアイデンティファイア（ＳＳＩＤ）同報通信のような帯域内信号、もしくはノードがピア発見を実行することができる帯域外チャネルから得られることができる。ノードＡのプロセッサ２０５および／もしくはワイアレス送信機２２５は、ＲＴＳ信号１１１の送信データ電力レベルを調整もしくは調節することに先立ってチャネルゲインの推定値を受信し得る。ある実施例で送信データ電力レベルは
【数３】
0005844265.tif 000004
【００２２】
に反比例し、ノードＡとノードＢの間のチャネルゲインに対して単調に減少していく。ＲＴＳ信号１１１の送信データ電力レベルは、チャネルのより効率的な使用もしくは時間の分配（すなわち、チャネル上でデータおよび／もしくは信号の同時送信を容易にすること）を可能にするために変更され得る。同様に、ＣＴＳ信号１１２の送信電力レベルはチャネルのより効率的な使用もしくは時間の分配を可能するために変更されることができる。
【００２３】
ノードＡはＲＴＳ信号１１１を作り出し、もしくはそのメモリ２１０からＲＴＳ信号１１１を読み出し、ワイアレス送信機２２５および第２のアンテナ２４０を使用してＲＴＳ信号１１１をノードＢに送信する。ＲＴＳ信号１１１は、ノードＡとノードＢの間のチャネルゲインに基づく送信データ電力レベルを有し得る（上記説明済）。ノードＢは、ＲＴＳ信号１１１が第１の受信ＲＴＳ電力レベルを有するようなＲＴＳ信号１１１を受信する（ブロック４０５）。ＲＴＳ信号１１１の受信の後ノードＢは、第１の受信ＲＴＳ電力レベルの関数である第１の送信ＣＴＳ電力レベルを有するＣＴＳ信号１１２を送信する（ブロック４１０）。その関数は、第１の送信ＣＴＳ電力レベルが
【数４】
0005844265.tif 000005
【００２４】
として第１の受信ＲＴＳ電力レベルに反比例する、もしくは第１の送信ＣＴＳ電力レベルが第１の受信ＲＴＳ電力レベルに対して単調に減少していくことであり得る。ＲＴＳ信号１１１および／もしくはＣＴＳ信号１１２はそれぞれパケット持続時間を含み得る。
【００２５】
ノードＡは、第２のアンテナ２４０およびワイアレス受信機２３０を使用してノードＢからＣＴＳ信号１１２を受信する（ブロック３１０）。ノードＡは、プロセッサ２０５および／もしくはワイアレス送信機２２５を使用してデータ用の送信データ電力レベルを調整もしくは調節し、第２のアンテナ２４０を通じてデータをノードＢに送信する（ブロック３１５）。ある実施例でそのデータは、ノードＡとノードＢの間のチャネルゲイン（ｈＡＢ）に基づく送信データ電力レベルで送信される（上記説明済）。
【００２６】
図５および６は様々な実施例に従って、無認可スペクトル内で動作するノードを有するネットワーク１００のシステムスループットを増加させる方法５００および６００をそれぞれ例示するフロー図である。方法５００はノードＣの観点からであり、方法５００はノードＤの観点からである。
【００２７】
図１、２、５および６を参照しておおよそ同じ時間に、ノードＡはＲＴＳ信号１１１をノードＢに送信することを希望し、ノードＤはＲＴＳ信号１１８をノードＣに送信することを希望する。ノードＡはＲＴＳ信号１１１をノードＢに送信し、ここにおいてＲＴＳ信号１１１は固定電力Ｐｆを有する。ノードＢは（固定電力Ｐｆの関数である）第１の受信ＲＴＳ電力レベルでＲＴＳ信号１１１を受信し、ＣＴＳ信号１１２をノードＡに送信し、ここにおいてＣＴＳ信号１１２は第１の受信ＲＴＳ電力レベルの関数である第１の送信ＣＴＳ電力レベル（例えば、ｐｏｗｅｒ  ＰＢ  ＝１／（ノードＡのＲＴＳ信号の受信電力レベル）もしくは、
【数５】
0005844265.tif 000006
【００２８】
）を有する（ブロック４０５および４１０）。その関数は第１の受信ＲＴＳ電力レベルに反比例する、もしくは第１の受信ＲＴＳ電力レベルに対して単調に減少していく。
【００２９】
ノードＣは、（ノードＡからの）第２の受信ＲＴＳ電力レベルを有するＲＴＳ信号１１１および（ノードＤからの）第３の受信ＲＴＳ電力レベルを有するＲＴＳ信号１１８を受信もしくは感知することができる（ブロック５０５およびブロック５１０）。ノードＣは、第２のアンテナ２４０およびワイアレス受信機２３０を使用してＲＴＳ信号１１８を受信もしくは感知する。もしノードＣがノードＡからのＲＴＳ信号１１１およびノードＤからのＲＴＳ信号１１８を感知した場合、ノードＣはバックオフし、ならびにノードＤにそのＣＴＳ信号１１７を送らない傾向が出る。しかしながら（１つもしくは複数の）送信信号（例えば、ＲＴＳ信号１１１および／もしくはＲＴＳ信号１１８）の減少した送信電力によって、ノードＣは第２のＣＴＳ信号１１７をノードＤに送信することができることもある。ノードＣは第２の受信ＲＴＳ電力レベルおよび第３の受信ＲＴＳ電力レベルの予め決められた関数に基づいて、第２のＣＴＳ信号１１７をノードＤに送信すべきかどうかを決定する（ブロック５１５）。例として、第３の受信ＲＴＳ電力レベルが第２の受信ＲＴＳ電力レベルよりも大きい場合、ノードＣは第２のＣＴＳ信号１１７をノードＤに送信することになる。これは、ノードＤからのＲＴＳ信号１１８がノードＡからのＲＴＳ信号１１１よりも強いことを示す。別の例として、第２の受信ＲＴＳ電力レベルと第３の受信ＲＴＳ電力レベルの比が予め決められたしきい値（例えば、０．１０、０．２５、０．５、０．７５、１、２、５、１０）よりも大きいもしくは少ない場合、ノードＣは第２のＣＴＳ信号１１７をノードＤに送信することになる。プロセッサ２０５を使用して、ノードＣは第２のＣＴＳ信号１１７をノードＤにワイアレス送信機２２５および第２のアンテナ２４０を使用して送信する。ノードＣはノードＡからＲＴＳ信号１１１をヒアリングする（ｈｅａｒｓ）けれども、ＲＴＳ信号１１１はとても弱いのでノードＣがノードＤにＣＴＳ信号１１７を送信することに問題はない。
【００３０】
ノードＤは、ノードＢからの第１のＣＴＳ信号１１２がノードＣにデータを送信することに問題がない位十分に弱いかどうかに関して、ノードＣと類似する決定を下す。ノードＤはノードＢから第２の受信ＣＴＳ電力レベルを有する第１のＣＴＳ信号１１２を受信する（ブロック６０５）。ノードＤはノードＣから第２のＣＴＳ信号１１７も受信する（ブロック６１０）。ノードＤは第２の受信ＣＴＳ電力レベルの予め決められた関数に基づいてデータ信号をノードＣに送信すべきかどうかを決定する（ブロック６１５）。その予め決められた関数は第２の送信データ電力レベルと第２の受信ＣＴＳ電力レベルの積を予め決められたしきい値（例えば、０．１０、０．２５、０．５、０．７５、１、２、５、１０）と比較する。第２の送信データ電力レベルは、ノードＣへの送信用のノードＤのデータ信号、もしくは第２のＲＴＳ信号１１８を調整もしくは調節するためにノードＤによって使用される。第２の送信データ電力レベルはノードＣとノードＤの間のチャネルゲインに反比例する、もしくはチャネルゲインに対して単調に減少していく。チャネルゲインはノードＣからノードＤに送信された以前の信号から決定され得る。
【００３１】
あるいくつかの状態で、ノードＡおよびＢは、それらの各々のＲＴＳおよびＣＴＳ信号のために、減少した送信電力レベルを有することになり、そしてそれは他のノード（例えば、ノードＣおよびＤ）がチャネルの同時再利用もしくは効率的な再利用を有することを可能にするだろう。つまりノードＣおよびＤは送信信号の電力スケーリングにより、ノードＡおよびＢによる同じチャネル上での送信に干渉することなく送信することができる。ネットワーク１００内の全てのノードはそれらの送信信号用のそれらの送信データ電力レベルを調整もしくは調節し、電力スケーリングを得ることができ、ネットワークにおいてチャネルの効率的再利用を可能にすることができる。
【００３２】
図７は様々な実施例に従って、無認可スペクトル内で動作するノードを用いてスペクトルの再利用およびシステムスループットを増加させるための装置用の手段および装置のための典型的なコンポーネントを例示するブロック図である。装置７００は、第１の移動装置１０１と第２の移動装置１０２の間のチャネルゲインに基づく第１の送信データ電力レベルを有する第１のＲＴＳ信号１１１を第１の移動装置１０１から第２の移動装置１０２に送信するためのモジュール７０５、第１の移動装置１０１で第２の移動装置１０２からのＣＴＳ信号１１２を受信するためのモジュール７１０、および第１の送信データ電力レベルで第１の移動装置１０１から第２の移動装置１０２にデータを送信するためのモジュール７１５を含み得る。
【００３３】
図８は様々な実施例に従って、無認可スペクトル内で動作するノードを用いてスペクトルの再利用およびシステムスループットを増加させるための装置用の手段および装置のための典型的なコンポーネントを例示するブロック図である。装置８００は、第２の移動装置１０２で第１の受信ＲＴＳ電力レベルを有する第１のＲＴＳ信号１１１を受信するためのモジュール８０５、および第２の移動装置１０２から第１の受信ＲＴＳ電力レベルの関数である第１の送信ＣＴＳ電力レベルを有する第１のＣＴＳ信号を送信するためのモジュール８１０を含み得る。
【００３４】
図９は様々な実施例に従って、無認可スペクトル内で動作するノードを用いてスペクトルの再利用およびシステムスループットを増加させるための装置用の手段および装置のための典型的なコンポーネントを例示するブロック図である。装置９００は、第１の移動装置１０１から第２の受信ＲＴＳ電力レベルを有する第１のＲＴＳ信号を受信するためのモジュール９０５、第３の移動装置１０３で第４の移動装置１０４からの第３の受信ＲＴＳ電力レベルを有する第２のＲＴＳ１１８を受信するためのモジュール９１０、および第３の受信電力レベルおよび第２の受信ＲＴＳ電力レベルの予め決められた関数に基づいて第４の移動装置１０４に第２のＣＴＳ信号を送信すべきかどうか決定するためのモジュール９１５を含み得る。
【００３５】
図１０は様々な実施例に従って、無認可スペクトル内で動作するノードを用いてスペクトルの再利用およびシステムスループットを増加させるための装置用の手段および装置のための典型的なコンポーネントを例示するブロック図である。装置１０００は、第４の移動装置１０４で第２の移動装置１０２からの第２の受信ＣＴＳ電力レベルを有する第１のＣＴＳ信号１１２を受信するためのモジュール１００５、第３の移動装置１０３から第２のＣＴＳ信号１１７を受信するためのモジュール１０１０、および第２の受信ＣＴＳ電力レベルの予め決められた関数に基づいてデータ信号を送信すべきかどうかを決定するためのモジュール１０１５を含み得る。
【００３６】
本明細書で開示される実施例と関係して説明される様々な例示的な論理的ブロック、モジュール、回路、およびアルゴリズムは電子的ハードウェア、コンピュータソフトウェア、もしくはそれらの組み合わせとして実装され得ることを当業者は理解するだろう。ハードウェアおよびソフトウェアのこの互換性を例示するために様々な例示的なコンポーネント、ブロック、モジュール、回路、およびアルゴリズムが、概してそれらの機能の点から上記で説明されてきた。そのような機能がハードウェアとして実装されるかソフトウェアとして実装されるかは全体のシステムに課せられた特定のアプリケーションおよび設計の制約によって決められる。当業者はそれぞれの特定のアプリケーション用に様々な方法で説明された機能を実行し得るが、そのような実行決定は本開示の範囲からの離反を引き起こすとして解釈されるべきではない。
【００３７】
本明細書で開示された実施例と関係して説明された様々な例示的な論理ブロック、モジュール、回路は、汎用プロセッシング装置、デジタル信号プロセッサ（ＤＳＰ）、特定用途向け集積回路（ＡＳＩＣ）、フィールドプログラマブルゲートアレイ（ＦＰＧＡ）もしくは他のプログラム可能論理装置、ディスクリートゲートもしくはトランジスタ論理、ディスクリートハードウェアコンポーネント、あるいは本明細書で説明された機能を実行するために設計されたそれらの任意の組み合わせを用いて実行もしくは実装され得る。汎用プロセッシング装置はマイクロプロセッシング装置であり得るが、代わりとしてプロセッシング装置は任意の従来のプロセッシング装置、プロセッシング装置、マイクロプロセッシング装置、もしくはステートマシンであり得る。プロセッシング装置は、例えばマイクロプロセッシング装置とＤＳＰの組み合わせ、複数のマイクロプロセッシング装置、ＤＳＰコアと関連した１つかそれ以上のマイクロプロセッシング装置、もしくは他の任意のそのような構成などのコンピュータ装置の組み合わせとして実装されることもできる。
【００３８】
本明細書で開示された実施例と関係して説明された装置、方法、もしくはアルゴリズムはハードウェア、ソフトウェア、もしくはそれらの組み合わせの中で直接具現化され得る。ソフトウェア内で方法もしくはアルゴリズムは、プロセッシング装置によって実行されることのできる１つかそれ以上の命令の中で具現化され得る。その命令は、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、もしくは当分野内で周知の記憶媒体の任意の他の形態の中に備わり得る。典型的な記憶媒体はプロセッシング装置に連結しており、そのようなプロセッシング装置は記憶媒体から情報を読み取る、ならびに記憶媒体に情報を書き込むことができる。代わりとして、記憶媒体はプロセッシング装置と一体であり得る。プロセッシング装置および記憶媒体はＡＳＩＣ内に備わり得る。ＡＳＩＣはユーザ端末内に備わり得る。代わりとして、プロセッシング装置および記憶媒体は、ユーザ端末内でディスクリートコンポーネントとして備わり得る。
【００３９】
開示された実施例の前述の説明は任意の当業者が本開示を製造もしくは使用することを可能にするために提供される。これらの実施例への様々な修正は当業者には容易に明らかになり、ならびに本明細書で定められた包括的な本質は本開示の範囲もしくは趣旨から離反することなく他の実施例に適用され得る。従って本開示は、本明細書において示された実施例に限定されることは意図されていないが、本明細書で開示された新たな特徴および本質と一貫した最大範囲が与えられるべきである。
【００４０】
本発明は、その趣旨もしくは本質的な特性から離反することなく、他の特定の形態で具現化され得る。説明された実施例は全ての点で、限定的ではなく例示的なものとしてのみ考えられるべきであり、従って本発明の範囲は前記の説明によってというよりむしろ添付された特許請求の範囲によって示される。請求項の均等物の範囲および意味の中で起こる全ての変化はそれらの範囲内に包含されるべきである。
以下に、本願出願の当初の特許請求の範囲に記載された発明を付記する。
[付記１]
第１の移動装置から第２の移動装置に、前記第１の移動装置と前記第２の移動装置の間のチャネルゲインに基づく第１の送信データ電力レベルを有する第１の送信要求（ＲＴＳ）信号を送信することと、
前記第１の移動装置で、前記第２の移動装置からの第１の送信可（ＣＴＳ）信号を受信することと、
前記第１の送信データ電力レベルで、前記第１の移動装置から前記第２の移動装置にデータを送信することと
を備える無認可スペクトル内でシステムスループットを増加させる方法。
[付記２]
前記第１の送信データ電力レベルは、前記第１の移動装置と前記第２の移動装置の間の前記チャネルゲインに反比例する、もしくは前記チャネルゲインに対して単調に減少していく付記１に記載の方法。
[付記３]
前記チャネルゲインは、前記第２の移動装置から前記第１の移動装置に送信された以前の信号から決定される付記１に記載の方法。
[付記４]
前記第２の移動装置が、第１の受信ＲＴＳ電力レベルを有する前記第１のＲＴＳ信号を受信する、ならびに、
前記第２の移動装置が、前記第１の受信ＲＴＳ電力レベルの関数である第１の送信ＣＴＳ電力レベルを有する前記第１のＣＴＳ信号を送信する、
付記１に記載の方法。
[付記５]
前記関数が、前記第１の受信ＲＴＳ電力レベルに反比例し、および前記第１の受信ＲＴＳ電力レベルに対して単調に減少するものから成り立つグループから選択される付記４に記載の方法。
[付記６]
第３の移動装置で、前記第１の移動装置からの第２の受信ＲＴＳ電力レベルを有する前記第１のＲＴＳ信号を受信することと、
前記第３の移動装置で、第４の移動装置からの第３の受信ＲＴＳ電力レベルを有する第２のＲＴＳ信号を受信することと、
前記第３の移動装置で、前記第３の受信ＲＴＳ電力レベルおよび前記第２の受信ＲＴＳ電力レベルの予め決められた関数に基づいて、前記第４の移動装置に第２のＣＴＳ信号を送信すべきかどうかを決定することと
をさらに備える付記１に記載の方法。
[付記７]
前記予め決められた関数が、前記第２の受信ＲＴＳ電力レベルと前記第３の受信ＲＴＳ電力レベルの比を予め決められたしきい値と比較する付記６に記載の方法。
[付記８]
前記第４の移動装置で、前記第２の移動装置からの第２の受信ＣＴＳ電力レベルを有する前記第１のＣＴＳ信号を受信することと、
前記第４の移動装置で、前記第３の移動装置からの前記第２のＣＴＳ信号を受信することと、
前記第４の移動装置で、前記第２の受信ＣＴＳ電力レベルの予め決められた関数に基づいてデータ信号を送信すべきかどうかを決定することと
をさらに備える付記６に記載の方法。
[付記９]
前記予め決められた関数が、前記第２の受信ＣＴＳ電力レベルと第２の送信データ電力レベルの積を予め決められたしきい値と比較する付記８に記載の方法。
[付記１０]
前記第２の送信データ電力レベルは、前記第３の移動装置に第２のＲＴＳ信号を、もしくは前記第３の移動装置にデータ信号を送信するために前記第４の移動装置によって使用される付記９に記載の方法。
[付記１１]
前記第２の送信データ電力レベルが、前記第３の移動装置と前記第４の移動装置の間のチャネルゲインに反比例する、もしくは前記チャネルゲインに対して単調に減少していく付記１０に記載の方法。
[付記１２]
前記チャネルゲインが、前記第３の移動装置から前記第４の移動装置に送信された以前の信号から決定される付記１１に記載の方法。
[付記１３]
第１の移動装置から第２の移動装置に、前記第１の移動装置と前記第２の移動装置の間のチャネルゲインに基づく第１の送信データ電力レベルを有する第１の送信要求（ＲＴＳ）信号を送信するように、
前記第１の移動装置で、前記第２の移動装置からの第１の送信可（ＣＴＳ）信号を受信するように、
前記第１の送信データ電力レベルで、前記第１の移動装置から前記第２の移動装置にデータを送信するように
構成されたプロセッサ
を備える無認可スペクトル内でシステムスループットを増加させるための装置。
[付記１４]
前記第１の送信データ電力レベルが、前記第１の移動装置と前記第２の移動装置の間の前記チャネルゲインに反比例する、もしくは前記チャネルゲインに対して単調に減少していく付記１３に記載の装置。
[付記１５]
前記チャネルゲインが、前記第２の移動装置から前記第１の移動装置に送信された以前の信号から決定される付記１３に記載の装置。
[付記１６]
前記第２の移動装置が、第１の受信ＲＴＳ電力レベルを有する前記第１のＲＴＳ信号を受信する、ならびに、
前記第２の移動装置が、前記第１の受信ＲＴＳ電力レベルの関数である第１の送信ＣＴＳ電力レベルを有する前記第１のＣＴＳ信号を送信する
付記１３に記載の装置。
[付記１７]
前記関数が、前記第１の受信ＲＴＳ電力レベルに反比例し、および前記第１の受信ＲＴＳ電力レベルに対して単調に減少するものから成り立つグループから選択される付記１６に記載の装置。
[付記１８]
前記プロセッサが、
第３の移動装置で、前記第１の移動装置からの第２の受信ＲＴＳ電力レベルを有する前記第１のＲＴＳ信号を受信するように、
前記第３の移動装置で、第４の移動装置から第３の受信ＲＴＳ電力レベルを有する第２のＲＴＳ信号を受信するように、
前記第３の移動装置で、前記第３の受信ＲＴＳ電力レベルおよび前記第２の受信ＲＴＳ電力レベルの予め決められた関数に基づいて、前記第４の移動装置に第２のＣＴＳ信号を送信すべきかどうかを決定するように
さらに構成される付記１３に記載の装置。
[付記１９]
前記予め決められた関数が、前記第２の受信ＲＴＳ電力レベルと前記第３の受信ＲＴＳ電力レベルの比を予め決められたしきい値と比較する付記１８に記載の装置。
[付記２０]
前記プロセッサが、
前記第４の移動装置で、前記第２の移動装置からの第２の受信ＣＴＳ電力レベルを有する前記第１のＣＴＳ信号を受信するように、
前記第４の移動装置で前記第３の移動装置から前記第２のＣＴＳ信号を受信するように、
前記第４の移動装置で、前記第２の受信ＣＴＳ電力レベルの予め決められた関数に基づいて、データ信号を送信すべきかどうかを決定するように
さらに構成される付記１８に記載の装置。
[付記２１]
前記予め決められた関数が、前記第２の受信ＣＴＳ電力レベルと第２の送信データ電力レベルの積を予め決められたしきい値と比較する付記２０に記載の装置。
[付記２２]
前記第２の送信データ電力レベルが、前記第３の移動装置に第２のＲＴＳ信号を、もしくは前記第３の移動装置にデータ信号を送信するために前記第４の移動装置によって使用される付記２１に記載の装置。
[付記２３]
前記第２の送信データ電力レベルが、前記第３の移動装置と前記第４の移動装置の間のチャネルゲインに反比例する、もしくは前記チャネルゲインに対して単調に減少していく付記２２に記載の装置。
[付記２４]
前記チャネルゲインが、前記第３の移動装置から前記第４の移動装置に送信された以前の信号から決定される付記２３に記載の装置。
[付記２５]
第１の移動装置から第２の移動装置に、前記第１の移動装置と前記第２の移動装置の間のチャネルゲインに基づく第１の送信データ電力レベルを有する第１の送信要求（ＲＴＳ）信号を送信するために手段と、
前記第１の移動装置で、前記第２の移動装置からの第１の送信可（ＣＴＳ）信号を受信するための手段と、
前記第１の送信データ電力レベルで前記第１の移動装置から前記第２の移動装置にデータを送信するための手段と
を備える無認可スペクトル内でシステムスループットを増加させるための装置。
[付記２６]
前記第１の送信データ電力レベルが、前記第１の移動装置と前記第２の移動装置の間の前記チャネルゲインに反比例する、もしくは前記チャネルゲインに対して単調に減少していく付記２５に記載の装置。
[付記２７]
前記チャネルゲインが、前記第２の移動装置から前記第１の移動装置に送信された以前の信号から決定される付記２５に記載の装置。
[付記２８]
前記第２の移動装置が第１の受信ＲＴＳ電力レベルを有する前記第１のＲＴＳ信号を受信する、ならびに、
前記第２の移動装置が、前記第１の受信ＲＴＳ電力レベルの関数である第１の送信ＣＴＳ電力レベルを有する前記第１のＣＴＳ信号を送信する
付記２５に記載の装置。
[付記２９]
前記関数が、前記第１の受信ＲＴＳ電力レベルに反比例し、および前記第１の受信ＲＴＳ電力レベルに対して単調に減少するものから成り立つグループから選択される付記２８に記載の装置。
[付記３０]
第３の移動装置で、前記第１の移動装置からの第２の受信ＲＴＳ電力レベルを有する前記第１のＲＴＳ信号を受信するための手段と、
前記第３の移動装置で、第４の移動装置からの第３の受信ＲＴＳ電力レベルを有する第２のＲＴＳ信号を受信するための手段と、
前記第３の移動装置で、前記第３の受信ＲＴＳ電力レベルおよび前記第２の受信ＲＴＳ電力レベルの予め決められた関数に基づいて、前記第４の移動装置に第２のＣＴＳ信号を送信すべきかどうかを決定するための手段と
をさらに備える付記２５に記載の装置。
[付記３１]
前記予め決められた関数が、前記第２の受信ＲＴＳ電力レベルと前記第３の受信ＲＴＳ電力レベルの比を予め決められたしきい値と比較する付記３０に記載の装置。
[付記３２]
前記第４の移動装置で、前記第２の移動装置からの第２の受信ＣＴＳ電力レベルを有する前記第１のＣＴＳ信号を受信するための手段と、
前記第４の移動装置で、前記第３の移動装置からの前記第２のＣＴＳ信号を受信するための手段と、
前記第４の移動装置で、前記第２の受信ＣＴＳ電力レベルの予め決められた関数に基づいて、データ信号を送信すべきかどうかを決定するための手段とを
さらに備える付記３０に記載の装置。
[付記３３]
前記予め決められた関数が、前記第２の受信ＣＴＳ電力レベルと第２の送信データ電力レベルの積を予め決められたしきい値と比較する付記３２に記載の装置。
[付記３４]
前記第２の送信データ電力レベルが、前記第３の移動装置に第２のＲＴＳ信号を、もしくは前記第３の移動装置にデータ信号を送信するために前記第４の移動装置によって使用される付記３３に記載の装置。
[付記３５]
前記第２の送信データ電力レベルが、前記第３の移動装置と前記第４の移動装置の間のチャネルゲインに反比例する、もしくは前記チャネルゲインに対して単調に減少していく付記３４に記載の装置。
[付記３６]
前記チャネルゲインが、前記第３の移動装置から前記第４の移動装置に送信された以前の信号から決定される付記３５に記載の装置。
[付記３７]
無認可スペクトル内でシステムスループットを増加させる方法を実行するための機械実行可能命令を具現化する機械読み取り可能媒体であって、前記方法が、
第１の移動装置から第２の移動装置に、前記第１の移動装置と前記第２の移動装置のチャネルゲインに基づく第１の送信データ電力レベルを有する第１の送信要求（ＲＴＳ）信号を送信することと、
前記第１の移動装置で、前記第２の移動装置からの第１の送信可（ＣＴＳ）信号を受信することと、
前記第１の送信データ電力レベルで、前記第１の移動装置から前記第２の移動装置にデータを送信することと
を備える機械読み取り可能媒体。
[付記３８]
前記第１の送信データ電力レベルが、前記第１の移動装置と前記第２の移動装置の間の前記チャネルゲインに反比例する、もしくは前記チャネルゲインに対して単調に減少していく付記３７に記載の機械読み取り可能媒体。
[付記３９]
前記チャネルゲインが、前記第２の移動装置から前記第１の移動装置に送信された以前の信号から決定される付記３７に記載の機械読み取り可能媒体。
[付記４０]
前記第２の移動装置が第１の受信ＲＴＳ電力レベルを有する前記第１のＲＴＳ信号を受信する、ならびに、
前記第２の移動装置が、前記第１の受信ＲＴＳ電力レベルの関数である第１の送信ＣＴＳ電力レベルを有する前記第１のＣＴＳ信号を送信する
付記３７に記載の機械読み取り可能媒体。
[付記４１]
前記関数が、前記第１の受信ＲＴＳ電力レベルに反比例し、および前記第１の受信ＲＴＳ電力レベルに対して単調に減少するものから成り立つグループから選択される付記４０に記載の機械読み取り可能媒体。
[付記４２]
第３の移動装置で、前記第１の移動装置からの第２の受信ＲＴＳ電力レベルを有する前記第１のＲＴＳ信号を受信することと、
前記第３の移動装置で、第４の移動装置からの第３の受信ＲＴＳ電力レベルを有する第２のＲＴＳ信号を受信することと、
前記第３の移動装置で、前記第３の受信ＲＴＳ電力レベル及び前記第２の受信ＲＴＳ電力レベルの予め決められた関数に基づいて、前記第４の移動装置に第２のＣＴＳ信号を送信すべきかどうかを決定することと
のための命令をさらに備える付記３７に記載の機械読み取り可能媒体。
[付記４３]
前記予め決められた関数が、前記第２の受信ＲＴＳ電力レベルと前記第３の受信ＲＴＳ電力レベルの比を予め決められたしきい値と比較する付記４２に記載の機械読み取り可能媒体。
[付記４４]
前記第４の移動装置で、前記第２の移動装置からの第２受信ＣＴＳ電力レベルを有する前記第１のＣＴＳ信号を受信することと、
前記第４の移動装置で、前記第３の移動装置からの前記第２のＣＴＳ信号を受信することと、
前記第４の移動装置で、前記第２の受信ＣＴＳ電力レベルの予め決められた関数に基づいて、データ信号を送信すべきかどうかを決定することと
のための命令をさらに備える付記４２に記載の機械読み取り可能媒体。
[付記４５]
前記予め決められた関数が、前記第２の受信ＣＴＳ電力レベルと第２の送信データ電力レベルの積を予め決められたしきい値と比較する付記４４に記載の機械読み取り可能媒体。
[付記４６]
前記第２の送信データ電力レベルが、前記第３の移動装置に第２のＲＴＳ信号を、もしくは前記第３の移動装置にデータ信号を送信するために前記第４の移動装置によって使用される付記４５に記載の機械読み取り可能媒体。
[付記４７]
前記第２の送信データ電力レベルが、前記第３の移動装置と前記第４の移動装置の間のチャネルゲインに反比例する、もしくは前記チャネルゲインに対して単調に減少していく付記４６に記載の機械読み取り可能媒体。
[付記４８]
前記チャネルゲインが、前記第３の移動装置から前記第４の移動装置に送信された以前の信号から決定される付記４７に記載の機械読み取り可能媒体。
【図１】
0005844265.tif 000007
【図２】
0005844265.tif 000008
【図３】
0005844265.tif 000009
【図４】
0005844265.tif 000010
【図５】
0005844265.tif 000011
【図６】
0005844265.tif 000012
【図７】
0005844265.tif 000013
【図８】
0005844265.tif 000014
【図９】
0005844265.tif 000015
【図１０】
0005844265.tif 000016